(57)【要約】【課題】  鞘から利器工具の刃部を引き抜く際に、使用者の手に刃部が当たってしまうことを好適に防止することが可能な利器工具用鞘を提供する。【解決手段】  使用者が一方の手で鞘１００をつかみ、他方の手で利器工具１０の把手１１をつかんで鞘１００から刃部を引き抜く際に、鞘１００をつかむ手が鞘１００から引き抜かれた刃部の方にはみ出すことを防止する保護部４を備える。保護部４は、刃部が挿入される鞘１００の開口端１５よりも、鞘１００から刃部を引き抜く方向に延長して形成されている。【選択図】図４
0003137536.tif 000002
【実用新案登録請求の範囲】
【請求項１】
刃部と、前記刃部の一端に取り付けられた把手とからなる利器工具の前記刃部を収納する鞘であって、
使用者が一方の手で前記鞘をつかみ、他方の手で前記把手をつかんで前記鞘から前記刃部を引き抜く際に、前記鞘をつかむ手が前記鞘から引き抜かれた刃部の方にはみ出すことを防止する保護部を備え、
前記保護部は、前記刃部が挿入される前記鞘の開口端よりも、前記鞘から前記刃部を引き抜く方向に延長して形成されていることを特徴とする利器工具用鞘。
【請求項２】
前記鞘の開口端からの前記保護部の延長長さが少なくとも１０ｍｍ以上であることを特徴とする請求項１に記載の利器工具用鞘。
【請求項３】
前記保護部は、前記鞘から前記刃部を引き抜く方向に向かうにつれて、前記鞘から引き抜かれた前記刃部が通過する位置より遠ざかるように反り返ったストッパー部を有し、
前記ストッパー部により、前記鞘をつかむ手が前記保護部上から前記刃部を引き抜く方向に脱落することを防止することを特徴とする請求項１又は２に記載の利器工具用鞘。
【請求項４】
前記ストッパー部の反り返り高さが少なくとも５ｍｍ以上であることを特徴とする請求項３に記載の利器工具用鞘。
【請求項５】
前記鞘は、前記刃部が諸刃に形成された利器工具の刃部を収納するものであり、前記鞘の両辺にそれぞれ前記保護部を備えることを特徴とする請求項１乃至４の何れか一項に記載の利器工具用鞘。
【請求項６】
刃部と、前記刃部の一端に取り付けられた把手とからなる利器工具の前記刃部を収納する利器工具用鞘に取り付けて用いられる保護部材であって、
使用者が一方の手で前記利器工具用鞘をつかみ、他方の手で前記把手をつかんで前記利器工具用鞘から前記刃部を引き抜く際に、前記利器工具用鞘をつかむ手が前記利器工具用鞘から引き抜かれた刃部の方にはみ出すことを防止するものであり、
前記利器工具用鞘に取り付けられた状態において、前記刃部が挿入される前記利器工具用鞘の開口端よりも、前記利器工具用鞘から前記刃部を引き抜く方向に延在することを特徴とする保護部材。
【考案の詳細な説明】
【技術分野】
【０００１】
本考案は利器工具を収納する鞘に関する。
【背景技術】
【０００２】
従来、斧、鎌、鋸その他の利器工具の不使用時における安全のため、これら利器工具の刃部を収納するための鞘が用いられる。
【０００３】
図８は従来の鞘１０００に利器工具１００１の刃部（図示略）を収納した状態を示す要部拡大図である。
【０００４】
図８の状態から利器工具１００１を使用するためには、使用者は、一方の手（例えば左手）で鞘１０００をつかみ、他方の手（例えば右手）で利器工具１００１の把手１００２をつかんで、鞘１０００から利器工具１００１の刃部を引き抜く。
【０００５】
なお、利器工具用の鞘を開示した先行技術文献としては、例えば、特開２００５−１３１０７３号公報、実願平７−３７５８５公報、登録実用新案第３０３４６２５公報などがある。
【考案の開示】
【考案が解決しようとする課題】
【０００６】
図９は、図８に示した従来の鞘１０００における問題点を説明するための要部拡大図である。
【０００７】
従来の鞘１０００には、図９に示すように、例えば、手１００３の人差し指１００４が鞘１０００から把手１００２側にはみ出した状態で鞘１０００から利器工具１０００の刃部を引き抜くと、刃部が指に当たって不快な思いをすることがある、という問題があった。
【０００８】
なお、市場には、プラスチックケースからなる鞘であって、開口端部付近が外周側に膨らんだものが存在するが、このような構成では、例えば、手の人差し指が鞘から把手側にはみ出すようなつかみ方を自然に行うことができるため、上記の問題を解決することができない。
【０００９】
同様に、先行技術文献として挙げた特開２００５−１３１０７３号公報の図５乃至図７、実開平７−３７５８５公報の図１及び図２、登録実用新案第３０３４６２５公報の図１には、開口端部付近が外周側に膨らんだ鞘が記載されているが、やはり、手の人差し指が鞘から把手側にはみ出すようなつかみ方を自然に行うことができるため、上記の問題を解決することができない。
【００１０】
本考案は以上のような問題点に鑑みてなされたものであり、鞘から利器工具の刃部を引き抜く際に、使用者の手に刃部が当たってしまうことを好適に防止することが可能な利器工具用鞘を提供することを目的とする。
【課題を解決するための手段】
【００１１】
上記の目的を達成するため、本考案は、刃部と、前記刃部の一端に取り付けられた把手とからなる利器工具の前記刃部を収納する鞘であって、使用者が一方の手で前記鞘をつかみ、他方の手で前記把手をつかんで前記鞘から前記刃部を引き抜く際に、前記鞘をつかむ手が前記鞘から引き抜かれた刃部の方にはみ出すことを防止する保護部を備え、前記保護部は、前記刃部が挿入される前記鞘の開口端よりも、前記鞘から前記刃部を引き抜く方向に延長して形成されていることを特徴とする利器工具用鞘を提供する。
【００１２】
本考案に係る鞘においては、前記鞘の開口端からの前記保護部の延長長さが少なくとも１０ｍｍ以上であることが好ましい。この延長長さは、１５ｍｍ以上であることがより好ましい。
【００１３】
本考案に係る鞘においては、前記保護部は、前記鞘から前記刃部を引き抜く方向に向かうにつれて、前記鞘から引き抜かれた前記刃部が通過する位置より遠ざかるように反り返ったストッパー部を有し、前記ストッパー部により、前記鞘をつかむ手が前記保護部上から前記刃部を引き抜く方向に脱落することが好ましい。
【００１４】
この場合、前記ストッパー部の反り返り高さが少なくとも５ｍｍ以上であることが好ましい。この反り返り高さは、７ｍｍ以上であることがより好ましい。
【００１５】
本考案に係る鞘は、前記刃部が諸刃に形成された利器工具の刃部を収納するものである場合、前記鞘の両辺にそれぞれ前記保護部を備えることが好ましい。
【００１６】
また、本考案は、刃部と、前記刃部の一端に取り付けられた把手とからなる利器工具の前記刃部を収納する利器工具用鞘に取り付けて用いられる保護部材であって、使用者が一方の手で前記利器工具用鞘をつかみ、他方の手で前記把手をつかんで前記利器工具用鞘から前記刃部を引き抜く際に、前記利器工具用鞘をつかむ手が前記利器工具用鞘から引き抜かれた刃部の方にはみ出すことを防止するものであり、前記利器工具用鞘に取り付けられた状態において、前記刃部が挿入される前記利器工具用鞘の開口端よりも、前記利器工具用鞘から前記刃部を引き抜く方向に延在することを特徴とする保護部材を提供する。
【考案の効果】
【００１７】
鞘の開口端よりも、鞘から刃部を引き抜く方向に延長して形成された保護部を備えるので、使用者が一方の手で鞘をつかみ、他方の手で利器工具の把手をつかんで鞘から刃部を引き抜く際に、鞘をつかむ手が鞘から引き抜かれた刃部の方にはみ出すことを好適に防止することができる。よって、鞘から利器工具の刃部を引き抜く際に、使用者の手に刃部が当たってしまうことを好適に防止することが可能である。
【考案を実施するための最良の形態】
【００１８】
〔第１の実施形態〕
図１乃至図４は第１の実施形態に係る鞘１００を示す図であり、このうち図１は鞘１００の表側を示し、図２は鞘１００の裏側を示し、図３は図１の矢印Ａ方向から見た図（一部は破断した断面図となっている）、図４は鞘１００に利器工具１０の刃部（図示略）を収納した状態を示す要部拡大図である。
【００１９】
利器工具１０（図４）は、鋸、斧、鎌その他の刃物であり、刃部（図示略）と、この刃部の一端に取り付けられた把手１１と、からなる。
【００２０】
図１乃至図４に示すように、本実施形態に係る鞘１００は、利器工具１０の刃部を収納する本体部１と、この本体部１に設けられた抜け落ち防止部材２、ベルトフック３及び指保護部（保護部）４と、を備えて構成されている。
【００２１】
このうち本体部１は、扁平かつ長尺な形状に形成され、内部には、扁平かつ長尺なスリット状の中空部が形成されている。
【００２２】
本体部１の一端側から利器工具１０の刃部を本体部１の内部の中空部に挿入して収納させることが可能なように、該一端側には開口部５が形成されている。
【００２３】
利器工具１０の不使用時には、安全のため、その刃部を鞘１００の本体部１の内部に収納しておく。
【００２４】
使用者が利器工具１０を使うには、一方の手（例えば左手）で鞘１００の本体部１をつかみ、他方の手（例えば右手）で利器工具１０の把手１１をつかんだ状態で、例えば、把手１１を図４の矢印Ｂ方向に移動させることにより、利器工具１０の刃部を鞘１００の本体部１から引き抜く。
【００２５】
抜け落ち防止部材２は、図３に示すように、本体部１の開口端１５（開口部５が形成された端部）よりも、鞘１００の本体部１から利器工具１０の刃部を引き抜く方向（図４の矢印Ｂ方向）に延在するように、本体部１の裏面側に固定された板状の部材であり、例えば、金属或いはその他の弾性を有する材料からなる。
【００２６】
ここで、図４の矢印Ｂ方向と平行で、かつ、開口部５の中心を通る線を開口部５の軸線１４と称することとすると、抜け落ち防止部材２において、開口部５側に望む面は、開口部５の軸線側に向けて隆起した隆起部６を有している。更に、隆起部６の表面には、利器工具１０の把手１１との摩擦力向上のための凹凸が形成されている。
【００２７】
鞘１００の本体部１内に利器工具１０の刃部を挿入する過程では、利器工具１０の把手１１が抜け落ち防止部材２の隆起部６に当接する。なおも利器工具１０の刃部を本体部１内に挿入すると、隆起部６が利器工具１０の把手１１により図３の矢印Ｃ方向、すなわち、開口部５の軸線から遠ざかる方向に押されて、抜け落ち防止部材２は矢印Ｃ方向側に撓むように弾性変形する。
【００２８】
その結果、把手１１は、抜け落ち防止部材２の隆起部６からの反力を矢印Ｃ方向の反対方向に受けるので、この把手１１、ひいては刃部を含む利器工具１０の全体が、鞘１００の本体部１から抜け落ちてしまうことが防止される。
【００２９】
また、ベルトフック３は、本体部１の開口端１５よりも、図４の矢印Ｂ方向（鞘１００の本体部１から利器工具１０の刃部を引き抜く方向）に延在するように、本体部１の裏面側に固定されている。
【００３０】
具体的には、例えば、ベルトフック３は、抜け落ち防止部材２の外側から該抜け落ち防止部材２と重ねて配置され、該抜け落ち防止部材２と一括して、ビス或いはその他の止着部材７（図２）により本体部１の裏面に固定されている。
【００３１】
ここで、ベルトフック３は、抜け落ち防止部材２の変形動作を妨げないように図３の矢印Ｃ方向、すなわち開口部５の軸線から遠ざかる方向に斜めに起立する起立部８と、この起立部８よりも先端側に位置し、本体部１と平行に延在するフックベース部９と、を備える。
【００３２】
ベルトフック２のフックベース部９の中央には、使用者のベルトを図１の矢印Ａ方向に通すことが可能なスリット状の開口部１２が形成されている。
【００３３】
使用者がベルトフック２の開口部１２にベルトを通した状態では、鞘１００（及びこの鞘１００に挿入された利器工具１０）をベルトからぶら下げて作業を行うことができる。
【００３４】
なお、ベルトフック２のフックベース部９の先端には、壁に設けられたフックなどに鞘１００（及びこの鞘１００に挿入された利器工具１０）を吊り下げるための切欠孔１３が形成されている。
【００３５】
次に、指保護部４は、使用者が一方の手（例えば左手）で鞘１００の本体部１をつかみ、他方の手（例えば右手）で利器工具１０の把手１１をつかんで、本体部１から利器工具１０の刃部を引き抜く際に、本体部１をつかむ手が、本体部１から引き抜かれた刃部の方にはみ出すことを防止するためのものである。
【００３６】
ここで、鞘１００の本体部１を使用者が左手でつかんだ場合の親指の位置が、開口端１５間際の図４に示す位置１７であるとすると、人差し指の位置１８は、例えば、位置１７よりも矢印Ｂ方向側にオフセットされた位置となる。
【００３７】
このオフセット量を考慮し、指保護部４は、本体部１の開口端１５よりも、本体部１から利器工具１０の刃部を引き抜く方向（矢印Ｂ方向）に延長して形成された延出部１９を有する。
【００３８】
ここで、延出部１９の長さ、すなわち、開口端１５からの指保護部４の延長長さＤ（図１）は、少なくとも１０ｍｍ以上であることが好ましく、１５ｍｍ以上であることがより好ましい。
【００３９】
具体的には、延長長さＤは、例えば、２０ｍｍ程度に設定することができる。
【００４０】
このような延出部１９を備えることにより、鞘１００の本体部１をつかんだ手の指が、確実に、延出部１９上に留まるようにでき、本体部１から引き抜かれた刃部の方にはみ出す（例えば、図４の位置２２にはみ出す）ことを防止できる。
【００４１】
更に、指保護部４は、その矢印Ｂ方向側の端部に、本体部１をつかむ手が指保護部４上から矢印Ｂ方向側に脱落することを防止するストッパー部１６を有している。
【００４２】
このストッパー部１６は、矢印Ｂ方向に向かうにつれて、図１の矢印Ｅ方向側に向けて反り返った形状に形成されている。すなわちストッパー部１６は、本体部１から刃部を引き抜く方向に向かうにつれて、本体部１から引き抜かれた刃部が通過する位置より遠ざかるように反り返った形状に形成されている。
【００４３】
ここで、ストッパー部１６の反り返り高さＦ（図１）は、少なくとも５ｍｍ以上であることが好ましく、７ｍｍ以上であることがより好ましい。
【００４４】
具体的には、反り返り高さＦは、例えば、８ｍｍ程度に設定することができる。
【００４５】
このようなストッパー部１６を備えることにより、鞘１００の本体部１をつかんだ手の指が、より確実に延出部１９上に留まるようにできる。
【００４６】
このような構成の指保護部４は、例えば、本体部１とは別体に構成された指保護部材（保護部材）２０を本体部１に固定することにより設けられている。
【００４７】
図５は指保護部材２０を示す図であり、図５（ｃ）は本体部１の表側に位置する側を見た図、図５（ａ）は図５（ｃ）の矢印Ｇ方向から見た図、図５（ｂ）は図５（ｃ）の矢印Ｈ方向から見た図、図５（ｄ）は図５（ｃ）の矢印Ｉ方向から見た図、図５（ｅ）は図５（ｃ）の矢印Ｊ方向から見た図である。
【００４８】
図５に示すように、指保護部材２０は、上記において説明した指保護部４の各構成の他に、指保護部材２０を本体部１に対して止着するための止着孔２１を備えている。
【００４９】
この止着孔２１（例えば、一対の止着孔２１）を介して、ビス或いはその他の止着部材２３により、指保護部材２０が本体部１の一辺側の端部に固定されている。
【００５０】
なお、本体部１及び指保護部材２０は、例えば、プラスチック（樹脂）により形成しても良いし、木により形成しても良い。
【００５１】
以上のような第１の実施形態によれば、鞘１００の本体部１の開口端１５よりも、本体部１から利器工具１０の刃部を引き抜く方向（矢印Ｂ方向）に延長して形成された指保護部４を備えるので、使用者が一方の手で鞘１００の本体部１をつかみ、他方の手で利器工具１０の把手１１をつかんで鞘１００の本体部１から刃部を引き抜く際に、本体部１をつかむ手が、本体部１から引き抜かれた刃部の方にはみ出すことを好適に防止することができる。よって、鞘１００から利器工具１０の刃部を引き抜く際に、使用者の手に刃部が当たってしまうことを好適に防止することが可能である。
【００５２】
〔第２の実施形態〕
上記の第１の実施形態では、鞘の本体部１に指保護部４が１つだけ設けられている例を説明したが、第２の実施形態では、本体部１の両辺にそれぞれ指保護部４が設けられている例を説明する。
【００５３】
図６は第２の実施形態に係る鞘２００の表側を示す図である。
【００５４】
本実施形態に係る鞘２００は、諸刃（両辺が刃）に形成された刃部を有する利器工具（図示略）の刃部を収納するためのものであり、図６に示すように、本体部１の両辺にそれぞれ指保護部４を備える。
【００５５】
指保護部４の構成は上記の第１の実施形態と同様である。また、その他、上記の第１の実施形態におけるのと同様の構成要素には同一の符号を付している。
【００５６】
このような第２の実施形態によれば、鞘２００の本体部１の両辺にそれぞれ指保護部４を備えるので、諸刃に形成された刃部を有する利器工具を本体部１内に収納した状態から、刃部を引き出す際に、刃部の両辺に手が当たることを各々の指保護部４により防止できる。
【００５７】
〔第３の実施形態〕
上記の第１及び第２の実施形態では、鞘の本体部１とは別体の指保護部材２０を本体部１に固定することにより指保護部４が設けられている例を説明したが、第３の実施形態では、指保護部４は本体部１と一体的に形成されている例を説明する。
【００５８】
図７は第３の実施形態に係る鞘３００の表側を示す図である。
【００５９】
図７に示しように、本実施形態の場合、指保護部４は本体部１と一体的に形成されている。
【００６０】
なお、指保護部４の構成は上記の第１の実施形態と同様であり、その他の上記の第１の実施形態におけるのと同様の構成要素には同一の符号を付している。
【００６１】
ここで、本体部１及び指保護部４は、例えば、プラスチック（樹脂）により形成しても良いし、木により形成しても良い。
【図面の簡単な説明】
【００６２】
【図１】第１の実施形態に係る鞘の表側を示す図である。
【図２】第１の実施形態に係る鞘の裏側を示す図である。
【図３】第１の実施形態に係る鞘の側面を示す図である。
【図４】第１の実施形態に係る鞘に利器工具の刃部を収納した状態の要部拡大図である。
【図５】保護部を構成する部材を示す図である。
【図６】第２の実施形態に係る鞘の表側を示す図である。
【図７】第３の実施形態に係る鞘の表側を示す図である。
【図８】従来の鞘に利器工具の刃部を収納した状態の要部拡大図である。
【図９】従来の鞘における問題点を説明するための要部拡大図である。
【符号の説明】
【００６３】
１      鞘の本体部
４      指保護部（保護部）
５      開口部
１０    利器工具
１１    把手
１５    開口端
１６    ストッパー部
１９    延出部
２０    指保護部材（保護部材）
１００  鞘（利器工具用鞘）
２００  鞘（利器工具用鞘）
３００  鞘（利器工具用鞘）
【図１】
0003137536.tif 000003
【図２】
0003137536.tif 000004
【図３】
0003137536.tif 000005
【図４】
0003137536.tif 000006
【図５】
0003137536.tif 000007
【図６】
0003137536.tif 000008
【図７】
0003137536.tif 000009
【図８】
0003137536.tif 000010
【図９】
0003137536.tif 000011
【手続補正書】
【提出日】平成19年9月28日(2007.9.28)
【手続補正１】
【補正対象書類名】実用新案登録請求の範囲
【補正対象項目名】全文
【補正方法】変更
【補正の内容】
【実用新案登録請求の範囲】
【請求項１】
刃部と、前記刃部の一端に取り付けられた把手とからなる利器工具の前記刃部を収納する鞘であって、
使用者が一方の手で前記鞘をつかみ、他方の手で前記把手をつかんで前記鞘から前記刃部を引き抜く際に、前記鞘をつかむ手が前記鞘から引き抜かれた刃部の方にはみ出すことを防止する保護部を備え、
前記保護部は、前記刃部が挿入される前記鞘の開口端よりも、前記鞘から前記刃部を引き抜く方向に延長して形成されていることを特徴とする利器工具用鞘。
【請求項２】
前記鞘の開口端からの前記保護部の延長長さが少なくとも１０ｍｍ以上であることを特徴とする請求項１に記載の利器工具用鞘。
【請求項３】
前記保護部は、前記鞘から前記刃部を引き抜く方向に向かうにつれて、前記鞘から引き抜かれた前記刃部が通過する位置より遠ざかるように反り返ったストッパー部を有し、
前記ストッパー部により、前記鞘をつかむ手が前記保護部上から前記刃部を引き抜く方向に脱落することを防止することを特徴とする請求項１又は２に記載の利器工具用鞘。
【請求項４】
前記ストッパー部の反り返り高さが少なくとも５ｍｍ以上であることを特徴とする請求項３に記載の利器工具用鞘。
【請求項５】
前記鞘は、前記刃部が諸刃に形成された利器工具の刃部を収納するものであり、前記鞘の両辺にそれぞれ前記保護部を備えることを特徴とする請求項１乃至４の何れか一項に記載の利器工具用鞘。
【手続補正２】
【補正対象書類名】明細書
【補正対象項目名】００１６
【補正方法】削除
【補正の内容】